(57)【要約】【課題】  光源の光を効率よく利用し光源を含めた装置が、薄型化ができる車両表用示灯を提供するものである。【解決手段】  台座３の周囲を覆うようにしてカバー体２が設置され、台座３の上部には、光を反射する反射板１０が面状に台座３一面に敷設されている。台座３にはアングル体６が取り付けられており、プリント基板５とビス９により固定されている。  プリント基板５は、アングル体６によって垂直状に起立するように設けられている。また、プリント基板５には、３色発光ダイオード（以下、３色ＬＥＤとする）７と３色ＬＥＤ７を点灯するための点灯回路の構成部品４が図示しない回路パターンの配置により実装されている。３色ＬＥＤ７は、プリント基板５の両面に実装されており、プリント基板５を挟むように対称に設けられている。点灯回路の構成部品４から出ている電源コード８は、図示しない車体側とスイッチ等を介して接続される。【選択図】 図３
2006260969.tif 000002
【特許請求の範囲】
【請求項１】
車両用表示灯を車両の屋上に装着するための台座が設けられ、車両用表示灯内部に設けられた光源によって発光する車両用表示灯において、
複数の光源を両面に実装し、前記光源を点灯するための回路を設けた基板を備え、
前記基板は、前記台座に対して垂直状に取り付けられたことを特徴とする車両用表示灯。
【請求項２】
前記台座に装着され前記光源からの光を上方に向かい反射させる反射板を設けたことを特徴とする請求項1記載の車両用表示灯。
【請求項３】
前記基板の両面に実装された前記光源を当該基板に対して対称に設けたことを特徴とする請求項1又は請求項２記載の車両用表示灯。
【請求項４】
前記基板は、前記台座の略中央の位置に取り付けられたことを特徴とする請求項1乃至請求項３記載の車両用表示灯。
【発明の詳細な説明】
【技術分野】
【０００１】
本発明は、例えば、タクシー等の車体の外装に取り付けられ、会社名や広告文字等表示するための車両用表示灯に関するものである。
【背景技術】
【０００２】
タクシーの屋根には、透光性を有するカバー体の表面に、会社名や広告を示す文字や図形等の標識が表された車両用表示灯が装着されている。このうち、会社名を示す表示灯は空車走行時には点灯される。そのため、タクシー利用者は空車のタクシーを夜間でも見つけることができる。従来の表示灯では、点灯させるために、電球や蛍光ランプを内部に設置している。特許文献１には、この種の車両用表示灯の一例が開示されている。
【０００３】
この表示灯は、一般に合成樹脂性のカバー体の内部に電球や蛍光ランプ等の光源を備えたものであり、このカバー体の表面に落ちにくい着色塗料を使って会社の社名や、会社のマーク、あるいは広告文字等が描かれている。この着色塗料の色は、様々な色が使われており、会社特有の色が使用されている。あるいは、カバー体全体が、青や黄などに着色されているものもある。したがって、カバー体内部に設置された光源が発光することによって、カバー体に着色された色の光が外部へ照射されるようになっている。
【０００４】
【特許文献１】実用新案登録第３０９１１８１号公報。
【発明の開示】
【発明が解決しようとする課題】
【０００５】
ところが、前記従来の技術では以下のような問題があった。例えば、図６に従来の車両表用示灯２０を示す。従来の車両用表示灯２０は、ＬＥＤ等の光源２７からの光が、カバー体２２に向かって照射されているが、光源２７が上方に向かい設置されているため、光源からの光は上方に向かって照射され、本来、光が照射されて欲しい白矢印の方向に向かう光量が少なく、弱い光の点灯となるという問題があった。また、光量を増やそうとすると、光源の数を増やさなければならなく、基板２５の幅が大きくなり車両表用示灯自体が大型化する等の問題があった。  
【０００６】
そこで、本発明は、光源の光を効率よく利用し車両表用示灯自体が薄型化できる車両表用示灯を提供することを目的としたものである。
【課題を解決するための手段】
【０００７】
上記課題を解決するために請求項１記載の車両表用示灯（１）は、車両用表示灯（１）を車両の屋上に装着するための台座（３）が設けられ、車両用表示灯内部に設けられた光源（７）によって発光する車両用表示灯（１）において、複数の光源（７）を両面に実装し、前記光源（７）を点灯するための回路を設けた基板（５）を備え、前記基板（５）は、前記台座（３）に対して垂直状に取り付けられたことを特徴とする。
【０００８】
請求項２記載の車両表用示灯（１）は、前記台座（３）に装着され前記光源（７）からの光を上方に向かい反射させる反射板（１０）を設けたことを特徴とする。
【０００９】
請求項３記載の車両表用示灯（１）は、前記基板（５）の両面に実装された前記光源（７）を当該基板（５）に対して対称に設けたことを特徴とする。
【００１０】
請求項４記載の車両表用示灯（１）は、前記基板（５）は、前記台座（３）の略中央の位置に取り付けられたことを特徴とする。
【発明の効果】
【００１１】
請求項１記載の車両用表示灯は、複数の光源を備え光源を点灯するための基板を設け、光源を両面に実装したその基板を、台座に対して垂直状に設けたので、特に文字等が表示される面に光が照射され、遠くからでも表示をはっきりと確認することができる。
【００１２】
請求項２記載の車両表用示灯は、請求項１記載の車両用表示灯の効果に加え、台座に装着され光源からの光を上方に向かい反射させるための反射板を設けたので、文字等が表示されている面に対し直接照射する光だけでなく、反射により得られた光をも利用することができるので、光を効率よく全方位に放射することができる。
【００１３】
請求項３記載の車両表用示灯は、請求項１又は請求項２記載の車両用表示灯の効果に加え、光源を基板の両面に実装し、その光源を基板に対して対称に設けたので、文字等が表示されている面に対し均等に光が照射されるので、ムラがなくきれいに文字等を表示できる。
【００１４】
請求項４記載の車両表用示灯は、求項１乃至請求項３記載の車両用表示灯の効果に加え、台座の略中央に基板を取り付けたことで、文字等が表示されている面に対して均等に光が照射されるので、ムラがなくきれいに文字等を表示できる。
【発明を実施するための最良の形態】
【００１５】
図１は本実施形態の車両用表示灯１を示す斜視図であり、カバー体２の正面に会社名を表示している。本実施形態では、社名の部分および斜線を施した部分が例えば青色に着色塗装が施された部分であり透光性を有する。また、社名の部分および斜線を施した以外の部分は、乳白色で透光性を有する。本発明における実施形態の詳細について図２〜図４を用いて説明する。
【００１６】
図２は本実施形態の車両用表示灯１の正面図、図３はそのＡ−Ａ断面図、図４はカバー体２を取り除いた場合の正面図、および図５はカバー体２を取り除いた場合の平面図である。
【００１７】
前述したように、カバー体２の正面と背面（図示しない）は、例えば青色の着色塗装によって会社名や斜線部が表示され透光性を有している。カバー体２の両側面、上面および正面の部分は、透光性を有しているが乳白色であるためにカバー体２の内部は見えないようになっている。台座３の周囲を覆うようにしてカバー体２が設置され、台座３の上部には、光を反射する反射板１０が面状に台座３の略一面状に敷設されている。
【００１８】
また、台座３には図３又は図４に示すように台座３の左右にＬ字状の２本のアングル体６が取り付けられており、アングル体６の下方は、図３の波線で示すように、アングル体６が台座に埋設固定されている。
【００１９】
次に、プリント基板５は、ビス９によりアングル体６に固定されており、アングル体６によって垂直状に起立するように取り付けられている。
【００２０】
また、プリント基板５には、３色発光ダイオード（以下、３色ＬＥＤとする）７と３色ＬＥＤ７を点灯するための点灯回路の構成部品４が、図示しない回路パターンの配置により実装されている。図３乃至図５に示すように、３色ＬＥＤ７は、プリント基板５の両面に実装され、プリント基板５を挟んで対称に設けられている。図４又は図５に示すように、社名の部分が記載されているカバー体２の面に向かいに３色ＬＥＤ７が均等に一直線上に列設配置されている。
【００２１】
また、プリント基板５は、社名の部分が記載されているカバー体２の前後の面に対し、３色ＬＥＤ７が均等に離間するように台座３の略中央の位置に取り付けられている。
【００２２】
点灯回路の構成部品４から出ている電源コード８は、図示しない車体側とスイッチ等を介して接続される。
【００２３】
（本実施形態における作用及び効果）  
次に本実施形態の作用および効果について説明する。
台座３に対して、プリント基板５を起立するように垂直状に設けることによって、プリント基板５の両面に実装された３色ＬＥＤ７からの光が、図３に示すような白矢印の方向に直接照射することができるので、特に文字（社名部分）等の表示される面に光が直接照射され、遠くからでも文字（社名部分）等の表示がはっきりと確認することができる。また、３色ＬＥＤを含めたプリント基板５を薄く作成することができるので、薄型の車両用表示灯１を作成することができる。
【００２４】
また、図３に示すように、台座３の上面には、光を反射する反射板１０を一面に設けたので、３色ＬＥＤ７から発した光が直接反射板１０に向かい反射される光や、カバー２に反射し再び反射板１０にて反射され光は、黒矢印のように上方に向かい反射される。従って、３色ＬＥＤ７が向いている方向だけではなく、光を効率よく全方位に放射することができる。
【００２５】
また、上記のように３色ＬＥＤ７を含めたプリント基板５が薄型であるため、光を反射させるためのスペースを設けることが可能となり、効率よく光を利用することが可能となる。
【００２６】
また、３色ＬＥＤ７は、図５に示すように、両面に実装されており、プリント基板５を挟むように対称に設けられているので、文字が表示されている両面に対して均等に光が照射されるので、カバー体２の前後に見られる両面の社名の文字等がムラがなく均等の明るさで表示される。
【００２７】
更に、３色ＬＥＤ７を装着したプリント基板５は、社名の部分が記載されているカバー体２の前後の面に対し、３色ＬＥＤ７が均等に離間するように台座３の略中央の位置に取り付けられているので、カバー体２の社名の文字等見られる前後にあたる両面へ光が均等に照射され、ムラがなく均等の明るさで文字等が表示される。
【００２８】
（他の実施形態への変更例）
本発明は、上記の実施形態に限定するものではなく、本発明の要旨を変更しない範囲で様々な応用が可能である。
【００２９】
・以上の実施形態では、光源として３色ＬＥＤ７を使用したが、蛍光灯、ネオン管、ランプ等であってもよく、光を発するものであればよい。
【００３０】
・以上の実施形態では、３色ＬＥＤ７を一直線上に列設配置しているが、特に限定するものではなく、互い違いに配置しても良い。
【００３１】
・以上の実施形態では、３色ＬＥＤ７を設置しているが、この個数に限定するものではない。また、調光回路等を別途設けることによって、種々の調光制御を実施することも可能であり本発明の内容に属する。
【図面の簡単な説明】
【００３２】
【図１】本実施形態の車両用表示灯の斜視図である。
【図２】本実施形態の車両用表示灯の正面図である。
【図３】図２の車両用表示灯のＡ−Ａ断面図である。
【図４】本実施形態の車両用表示灯において、カバー体を取り除いた場合の正面図である。
【図５】本実施形態の車両用表示灯において、カバー体を取り除いた場合の平面図である。
【図６】従来の車両用表示灯のＡ−Ａ断面図である。
【符号の説明】
【００３３】
１・・・車両用表示灯、２・・・カバー体、３・・・台座、
４・・・点灯回路の構成部品、５・・・プリント基板、６・・・アングル体、
７・・・３色ＬＥＤ、８・・・電源コード、９・・・ビス、１０・・・反射板。
【図１】
2006260969.tif 000003
【図２】
2006260969.tif 000004
【図３】
2006260969.tif 000005
【図４】
2006260969.tif 000006
【図５】
2006260969.tif 000007
【図６】
2006260969.tif 000008